【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
緊急対応環境内のジェスチャ認識のための方法であって、前記方法は、
少なくとも１つのセンサから人体の少なくとも一部に関する視覚情報を受け取るステップと、
患者に対して緊急事態遭遇記録を保持するステップと、
前記視覚情報をモニタして前記人体の前記少なくとも一部の動きを求めるステップと、
前記人体の前記少なくとも一部の前記動きに基づいてジェスチャの発生を認識するステップと、
前記ジェスチャの前記発生に基づいて前記緊急事態遭遇記録内に項目を記録するステップと
を含む、方法。
【請求項２】
前記ジェスチャが作為的なジェスチャである、請求項１に記載の方法。
【請求項３】
前記ジェスチャが自然的なジェスチャである、請求項１に記載の方法。
【請求項４】
前記人体の前記少なくとも一部が前記人体の手である、請求項１に記載の方法。
【請求項５】
前記人体の前記少なくとも一部が前記人体の前記手の１本又は複数本の指を含む、請求項４に記載の方法。
【請求項６】
前記人体の前記少なくとも一部が前記人体の頭部である、請求項１に記載の方法。
【請求項７】
前記項目が前記ジェスチャの発生時刻を含む、請求項１に記載の方法。
【請求項８】
前記項目が前記ジェスチャの識別情報を更に含む、請求項７に記載の方法。
【請求項９】
前記項目が前記ジェスチャの前記発生の時刻に対応して受け取られた前記視覚情報を含む、請求項１に記載の方法。
【請求項１０】
音声情報を受け取るステップを更に含み、前記項目が前記ジェスチャの前記発生の時刻に対応して受け取られた前記音声情報を含む、請求項９に記載の方法。
【請求項１１】
前記ジェスチャ以外の状態の発生を突き止めるステップと、
前記状態の前記発生が前記ジェスチャの前記発生と同時に起きる場合にのみ、前記緊急事態遭遇記録内に前記項目を記録するステップと
を更に含む、請求項１に記載の方法。
【請求項１２】
前記ジェスチャが第１のジェスチャであり、前記状態が第２のジェスチャである、請求項１１に記載の方法。
【請求項１３】
前記状態が、前記緊急対応環境に対する前記人体の位置又は場所である、請求項１１に記載の方法。
【請求項１４】
前記人体の前記少なくとも一部が前記人体の第１の部分であり、前記ジェスチャが第１のジェスチャであり、前記方法が、
前記少なくとも１つのセンサから前記人体の第２の部分に関する視覚情報を受け取るステップと、
前記視覚情報をモニタして前記人体の前記第２の部分の動きを求めるステップと、
前記人体の前記第２の部分の前記動きに基づいて第２のジェスチャの発生を認識するステップと、
前記第１のジェスチャの前記発生及び前記第２のジェスチャの前記発生に基づいて前記緊急事態遭遇記録内に前記項目を記録するステップと
を更に含む、請求項１に記載の方法。
【請求項１５】
前記項目を記録するステップが、前記第１のジェスチャと前記第２のジェスチャとが同時に起きる場合にのみ前記緊急事態遭遇記録内に前記項目を記録するステップを含む、請求項１４に記載の方法。
【請求項１６】
前記人体の前記第１の部分が手であり、前記人体の前記第２の部分が頭部である、請求項１４に記載の方法。
【請求項１７】
前記人体の前記第１の部分が第１の手であり、前記人体の前記第２の部分が第２の手である、請求項１４に記載の方法。
【請求項１８】
前記人体が、前記緊急対応環境内で治療を受けている前記患者である、請求項１に記載の方法。
【請求項１９】
前記人体が、前記緊急対応環境内で前記患者を治療している介護者である、請求項１に記載の方法。
【請求項２０】
緊急対応環境内のジェスチャ認識システムであって、前記ジェスチャ認識システムは、
人体の少なくとも一部に関する視覚情報を受け取るように構成される少なくとも１つのセンサと、
前記少なくとも１つのセンサに通信可能に結合される制御システムと
を含み、前記制御システムは、
患者に対する緊急事態遭遇記録を保持又は生成し、
前記視覚情報をモニタして前記人体の前記少なくとも一部の動きを求め、
前記人体の前記少なくとも一部の前記動きに基づいてジェスチャの発生を認識し、
前記ジェスチャの前記発生に基づいて前記緊急事態遭遇記録内に項目を記録するように構成される、ジェスチャ認識システム。
【請求項２１】
緊急対応環境内の対話追跡のための方法であって、前記方法は、
センサアレイの視界内からカラー画像及び奥行き情報を受け取るステップと、
緊急事態遭遇記録を保持するステップと、
前記センサアレイによって受け取られる前記カラー画像及び奥行き情報に基づいて前記緊急対応環境内の対象の位置及び前記対象の動きの一方又は両方をモニタするステップと、
前記緊急事態遭遇記録内に状態の発生を記録するステップと
を含み、前記状態は前記対象の前記位置及び前記対象の前記動きの一方又は両方に基づく、方法。
【請求項２２】
前記対象が人間であり、前記対象の前記位置及び前記対象の前記動きの一方又は両方をモニタするステップが、前記人間の前記位置及び前記人間の少なくとも部分的な骨格の概算の動きの一方又は両方をモニタするステップを含む、請求項２１に記載の方法。
【請求項２３】
前記人間が第１の対象であり、前記状態が、前記人間の前記少なくとも部分的な骨格の概算が第２の対象の一定の距離内に入ることを含む、請求項２２に記載の方法。
【請求項２４】
前記人間が第１の人間であり、前記第２の対象が第２の人間である、請求項２３に記載の方法。
【請求項２５】
前記状態は、前記第１の人間が前記第２の人間に接触することを含む、請求項２４に記載の方法。
【請求項２６】
前記第２の人間は、前記緊急対応環境内で前記第１の人間によって治療されている患者である、請求項２５に記載の方法。
【請求項２７】
前記状態の前記発生を記録するステップが、前記状態が発生する時刻を記録するステップを含む、請求項２１に記載の方法。
【請求項２８】
前記状態の前記発生を記録するステップが、前記状態の種類を記録するステップを更に含む、請求項２７に記載の方法。
【請求項２９】
前記状態の前記発生を記録するステップが、前記状態の前記発生中に受け取られる前記カラー画像をビデオ映像として記録するステップを更に含む、請求項２７に記載の方法。
【請求項３０】
患者に関するストリーミング臨床データを受け取るステップと、
前記緊急事態遭遇記録内の前記ストリーミング臨床データの少なくとも一部を前記状態の前記発生に相関させるステップと
を更に含む、請求項２１に記載の方法。
【請求項３１】
前記ストリーミング臨床データの前記少なくとも一部を相関させるステップが、前記状態の発生時刻に対応する前記ストリーミング臨床データの前記少なくとも一部にフラグを立てるステップを含む、請求項３０に記載の方法。
【請求項３２】
緊急対応環境内の対話追跡システムであって、前記対話追跡システムは、
自らの視界内のカラー画像及び奥行き情報を受け取るように構成されるセンサアレイと、
前記センサアレイに通信可能に結合される制御システムであって、
緊急事態遭遇記録を保持し、
前記センサアレイから受け取る前記カラー画像及び奥行き情報に基づいて前記緊急対応環境内の対象の位置及び動きの一方又は両方をモニタし、
前記緊急事態遭遇記録内に状態の発生を記録するように構成される、
制御システムと
を含み、前記状態は前記対象の位置及び動きの一方又は両方に基づく、対話追跡システム。
【請求項３３】
前記緊急対応環境は緊急対応車両である、請求項１に記載の方法。
【請求項３４】
前記緊急事態遭遇記録は、前記患者に施した治療、前記患者に投与される薬剤、及び前記患者のバイタルサイン情報のうちの少なくとも１つを含む患者図化記録である、請求項１に記載の方法。
【請求項３５】
前記介護者は、救急医療サービス専門家である、請求項１９に記載の方法。
【請求項３６】
前記緊急対応環境は、緊急対応車両である、請求項２０に記載のシステム。
【請求項３７】
前記緊急事態遭遇記録は、前記患者に施した治療、前記患者に投与される薬剤、及び前記患者のバイタルサイン情報のうちの少なくとも１つを含む患者図化記録である、請求項２０に記載のシステム。
【請求項３８】
前記人体は、前記緊急対応環境内で前記患者を治療している介護者である、請求項２０に記載のシステム。
【請求項３９】
前記介護者は、救急医療サービス専門家である、請求項３８に記載のシステム。
【請求項４０】
前記対象は人間であり、前記制御システムは、前記人間の前記位置及び前記人間の少なくとも部分的な骨格の概算の動きのうちの１つ又は両方をモニタすることにより、前記対象の前記位置及び動きのうちの１つ又は両方をモニタするように構成される、請求項３２に記載のシステム。
【請求項４１】
前記人間は、第１の対象であり、前記状態は、第２の対象の一定の距離内に入る前記人間の前記少なくとも部分的な骨格の概算を含む、請求項４０に記載のシステム。
【請求項４２】
前記人間は、第１の人間であり、前記第２の対象は、第２の人間である、請求項４１に記載のシステム。
【請求項４３】
前記第２の人間は、前記緊急対応環境内で前記第１の人間により治療される患者である、請求項４２に記載のシステム。
【請求項４４】
前記制御システムは、前記状態が生じる時間を記録することにより前記状態の前記発生を記録するように構成される、請求項３２に記載のシステム。
【請求項４５】
前記制御システムは、前記状態のタイプを記録することにより前記状態の前記発生を記録するように構成される、請求項４４に記載のシステム。
【請求項４６】
前記制御システムは、前記状態の前記発生中に受信する前記カラー画像をビデオ映像として記録することにより、前記状態の前記発生を記録するように構成される、請求項３２に記載のシステム。
【請求項４７】
前記制御システムは、さらに、
患者についてのストリーミング臨床データを受信し、
前記緊急事態遭遇記録内の前記ストリーミング臨床データの少なくとも一部を前記状態の前記発生に相関させるように構成される、
請求項３２に記載のシステム。
【請求項４８】
前記制御システムは、前記状態の前記発生の時間に対応する前記ストリーミング臨床データの前記少なくとも一部にフラグを立てることにより、前記ストリーミング臨床データの前記少なくとも一部を相関させるように構成される、請求項４７に記載のシステム。